(57)【要約】【課題】通常表示データとカラーユニバーサル適合化表示データを同時に表示するマルチビューにより、色覚障害を持った人も健常者も表示モードの変更をすることなく、見る角度を変えるだけで良好にメニュー表示を確認することが可能である画像形成装置を提供する。【解決手段】見る角度によって異なる画像を見ることができるマルチ画像表示手段を備えた画像形成装置であって、通常表示データを変換してカラーユニバーサルデザインに対応した表示データであるカラーユニバーサルデザイン適合化表示データを生成する表示データ生成手段と、通常表示データ及び前記カラーユニバーサルデザイン適合化表示データに基づいてマルチビュー用の表示データに変換する表示画像変換手段と、を有し、前記マルチ画像表示手段は、前記表示画像変換手段にて得たマルチビュー用の表示データを表示する。【選択図】図３
2011043711.tif 000002
【特許請求の範囲】
【請求項１】
見る角度によって異なる画像を見ることができるマルチ画像表示手段を備えた画像形成装置であって、
通常表示データを変換してカラーユニバーサルデザインに対応した表示データであるカラーユニバーサルデザイン適合化表示データを生成する表示データ生成手段と、
通常表示データ及び前記カラーユニバーサルデザイン適合化表示データに基づいてマルチビュー用の表示データに変換する表示画像変換手段と、
を有し、
前記マルチ画像表示手段は、前記表示画像変換手段にて得たマルチビュー用の表示データを表示することを特徴とする画像形成装置。
【請求項２】
前記カラーユニバーサルデザインに対応した表示をするか否かを指定するカラーユニバーサルデザイン適合化表示有無指定手段と、
前記カラーユニバーサルデザイン適合化表示有無指定手段によりカラーユニバーサルデザイン適合化表示を指定された場合、どのようなカラーユニバーサルデザイン適合ルールによる適合化を行うかを指定するカラーユニバーサルデザイン適合化ルール指定手段と、
を有し、
前記表示データ生成手段は、前記カラーユニバーサルデザイン適合化ルール指定手段の指定に基づいてカラーユニバーサルデザイン適合化表示データを生成することを特徴とする請求項１に記載の画像形成装置。
【請求項３】
生成された前記カラーユニバーサルデザイン適合化表示データの見え方を指定する見え指定手段を有し、
前記見え指定手段により指定された見え方となるように前記マルチ画像表示手段は、前記表示画像変換手段にて得たマルチビュー用の表示データを表示することを特徴とする請求項１または２に記載の画像形成装置。
【請求項４】
前記マルチ画像表示手段は、視差バリア方式を使用した２Ｄ−３Ｄ表示装置であることを特徴とする請求項１に記載の画像形成装置。
【請求項５】
前記マルチ画像表示手段は、レンチキュラレンズ方式を使用した２Ｄ−３Ｄ表示装置であることを特徴とする請求項１に記載の画像形成装置。
【請求項６】
前記カラーユニバーサルデザイン適合化ルール指定手段における指定項目は、色覚異常の型であるＣ型、Ｐ型、Ｄ型、Ｔ型、又は他の分類における同等なカテゴリーにおいて、前記色覚異常の型を少なくとも１つ以上含むことを特徴とする請求項２に記載の画像形成装置。
【請求項７】
見る角度によって異なる画像を見ることができる、着脱可能な外付けマルチ画像表示手段と、
通常の文書データを変換してカラーユニバーサルデザインに対応した文書データであるカラーユニバーサルデザイン適合化文書データを生成する文書データ生成手段と、
通常文書データ及び前記カラーユニバーサルデザイン適合化文書データに基づいてマルチビュー用の文書データに変換する表示画像変換手段と、
を有し、
前記外付けマルチ画像表示手段は、カラー表示と、Ａ３サイズまでの表示と、が可能であり前記表示画像変換手段にて得たマルチビュー用の文書データを表示することを特徴とする画像形成装置。
【請求項８】
前記適合化文書データと前記適合化表示データとを記憶する場所と方法とを指示入力する指示入力手段と、
前記適合化文書データと前記適合化表示データとを外部の携帯型大容量記憶メディアに記憶するための各インターフェース接続手段と、
前記カラーユニバーサルデザイン適合化文書データと前記適合化表示データとを記憶するデータ記憶手段と、
を有し、
前記データ記憶手段は、予め設定された方法又は指示入力された方法により各前記データを記憶することを特徴とする請求項１または７に記載の画像形成装置。
【請求項９】
見る角度によって異なる画像を見ることができるマルチ画像表示手段を備えた画像形成装置の画像表示方法であって、
通常表示データを変換してカラーユニバーサルデザインに対応した表示データであるカラーユニバーサルデザイン適合化表示データを生成する表示データ生成工程と、
通常表示データ及び前記カラーユニバーサルデザイン適合化表示データに基づいてマルチビュー用の表示データに変換する表示画像変換工程と、
前記表示画像変換工程にて得たマルチビュー用の表示データを表示するマルチ画像表示工程と、
を有することを特徴とする画像表示方法。
【請求項１０】
前記カラーユニバーサルデザインに対応した表示をするか否かを指定するカラーユニバーサルデザイン適合化表示有無指定工程と、
前記カラーユニバーサルデザイン適合化表示有無指定工程によりカラーユニバーサルデザイン適合化表示を指定された場合、どのようなカラーユニバーサルデザイン適合ルールによる適合化を行うかを指定するカラーユニバーサルデザイン適合化ルール指定工程と、
前記カラーユニバーサルデザイン適合化ルール指定工程の指定に基づいてカラーユニバーサルデザイン適合化表示データを生成する表示データ生成工程と、
を有することを特徴とする請求項９に記載の画像表示方法。
【請求項１１】
生成された前記カラーユニバーサルデザイン適合化表示データの見え方を指定する見え指定工程と、
前記見え指定工程により指定された見え方となるように前記表示画像変換工程にて得たマルチビュー用の表示データを表示するマルチ画像表示工程と、
を有することを特徴とする請求項９または１０に記載の画像表示方法。
【請求項１２】
視差バリア方式を使用した２Ｄ−３Ｄ表示するマルチ画像表示工程を有することを特徴とする請求項９に記載の画像表示方法。
【請求項１３】
レンチキュラレンズ方式を使用した２Ｄ−３Ｄ表示するマルチ画像表示工程を有することを特徴とする請求項９に記載の画像表示方法。
【請求項１４】
色覚異常の型であるＣ型、Ｐ型、Ｄ型、Ｔ型、又は他の分類における同等なカテゴリーにおいて、前記色覚異常の型を少なくとも１つ以上含む項目を指定するカラーユニバーサルデザイン適合化ルール指定工程を有することを特徴とする請求項１０に記載の画像表示方法。
【請求項１５】
見る角度によって異なる画像を見ることができる、着脱可能な外付けマルチ画像表示手段を備えた画像形成装置の画像表示方法であって、
通常の文書データを変換してカラーユニバーサルデザインに対応した文書データであるカラーユニバーサルデザイン適合化文書データを生成する文書データ生成工程と、
通常文書データ及び前記カラーユニバーサルデザイン適合化文書データに基づいてマルチビュー用の文書データに変換する表示画像変換工程と、
前記マルチビュー用の文書データをカラー表示する工程と、
前記マルチビュー用の文書データをＡ３サイズまでの表示をする工程と、
前記表示画像変換工程にて得たマルチビュー用の文書データを表示する外付けマルチ画像表示工程と、
を有することを特徴とする画像表示方法。
【請求項１６】
前記適合化文書データと前記適合化表示データとを記憶する場所と方法とを指示入力する指示入力工程と、
前記適合化文書データと前記適合化表示データとを外部の携帯型大容量記憶メディアに記憶するための各インターフェース接続工程と、
前記カラーユニバーサルデザイン適合化文書データと前記適合化表示データと、を予め設定された方法又は指示入力された方法により記憶するデータ記憶工程と、
を有することを特徴とする請求項９または１５に記載の画像表示方法。
【請求項１７】
請求項９から１６に記載の画像表示方法をコンピュータに実行させるためのプログラム。
【請求項１８】
請求項１７に記載のプログラムを記録したコンピュータ読み取り可能な記録媒体。
【発明の詳細な説明】
【技術分野】
【０００１】
本発明は、カラーユニバーサル機能を備えた画像形成装置、画像表示方法、プログラム及び記録媒体に関する。
【背景技術】
【０００２】
近年、アクセシビリティ、ユニバーサルデザイン、カラーユニバーサルデザイン（以下ＣＵＤとも記述する）などの言葉に代表されるように、標識・表示や装置・機器に関して、健常者や障害者の区別なく、認識しやすい、わかりやすい、使いやすい、ということが求められてきている。
【０００３】
例えば、カラーユニバーサルデザインの観点から、公共の施設の標識・表示について、高齢者・眼性疾患者・色覚異常者でも認識・区別しやすくしたデザインのものに置き換えられる例が見受けられ始めている。
【０００４】
また、画像形成システムに関わる分野でも同様に、装置・機器に関して、ボタン・操作パネルの配色や、文字の併記、ＬＥＤの色や配置あるいは点滅によって、高齢者・眼性疾患者・色覚異常者でも容易に認識・区別しやすくした、いわゆる「カラーユニバーサルデザイン」対応を謳った製品が出始めている。
【０００５】
そこで、機器などの表示や操作パネルなどをカラーユニバーサルデザインに対応したものにすれば、名目上は誰にでも認識しやすい、わかりやすい、使いやすいものになっているはずであるが、実際はそうなっていないという問題がある。
【０００６】
また、色覚異常の種類はいくつかあるために、１つの種類に対応したからといって、他の種類の色覚異常にも有効というわけではなく、オールマイティなカラーユニバーサルデザインというものはないのが実状である。
【０００７】
また、機器操作者が色覚異常の種類を指定して、機器側では指定された種類に対応して用意された表示データに切替えたり、表示データに変換をかけたものに切替えるなど、随時対応しているものがほとんどである。
【０００８】
例えば、特許文献１では、操作者の認識できる色の組み合わせと認識できない色の組み合わせを正確に反映させた色成分変換処理を行うことが可能な画像形成装置が開示されている。
【０００９】
また特許文献２では、異なる方向に視野角を有するデュアルビュー液晶ディスプレイを使用して側方から下方向に視野角を与えることにより、通常の操作パネルを視認できない視線の低い利用者に対する操作性を改善した表示装置が開示されている。
【発明の概要】
【発明が解決しようとする課題】
【００１０】
上記のように従来は、色覚異常に対応した画像形成装置を使用する際に、どのような色覚異常か操作者が指定し、機器側で指定された種類に対応して用意された表示データに切換えたり、表示データに変換をかけて切換える等随時対応していたが、その都度指定する切り換え操作が面倒という問題があった。
【００１１】
特許文献１に記載されている方法は、その都度に操作者が色の設定などを行う必要があるという問題があった。
【００１２】
また特許文献２に記載されている方法は、身長の高低という個人差に配慮したものではあるが、色覚異常に対して配慮しているものではないという問題があった。
【００１３】
そこで本発明は、上記問題点に鑑みてなされたもので、通常表示データとカラーユニバーサル適合化表示データを同時に表示するマルチビューにより、色覚障害を持った人も健常者も表示モードの変更をすることなく、見る角度を変えるだけで良好にメニュー表示を確認することが可能である画像形成装置、画像表示方法、プログラム及び記録媒体を提供することを目的とする。
【課題を解決するための手段】
【００１４】
上記課題を解決するため、本発明に係る画像形成装置は、見る角度によって異なる画像を見ることができるマルチ画像表示手段を備えた画像形成装置であって、通常表示データを変換してカラーユニバーサルデザインに対応した表示データであるカラーユニバーサルデザイン適合化表示データを生成する表示データ生成手段と、通常表示データ及び前記カラーユニバーサルデザイン適合化表示データに基づいてマルチビュー用の表示データに変換する表示画像変換手段と、を有し、前記マルチ画像表示手段は、前記表示画像変換手段にて得たマルチビュー用の表示データを表示することを特徴とする。
【００１５】
また本発明に係る画像表示方法は、見る角度によって異なる画像を見ることができるマルチ画像表示手段を備えた画像形成装置の画像表示方法であって、通常表示データを変換してカラーユニバーサルデザインに対応した表示データであるカラーユニバーサルデザイン適合化表示データを生成する表示データ生成工程と、通常表示データ及び前記カラーユニバーサルデザイン適合化表示データに基づいてマルチビュー用の表示データに変換する表示画像変換工程と、前記表示画像変換工程にて得たマルチビュー用の表示データを表示するマルチ画像表示工程と、を有することを特徴とする。
【００１６】
また本発明に係るプログラムは、上記に記載の画像表示方法をコンピュータに実行させることを特徴とする。
【００１７】
また本発明に係る記録媒体は、上記に記載のプログラムを記録したコンピュータ読み取り可能であることを特徴とする。
【発明の効果】
【００１８】
本発明により、カラーユニバーサルデザインに対応した、表示データの切り替え操作などが不要な画像形成装置、画像表示方法、プログラム及び記録媒体を提供することが可能になる。
【図面の簡単な説明】
【００１９】
【図１】第１の実施形態に係る画像形成装置(孔版印刷装置)の構成図である。
【図２】第１の実施形態に係る画像形成装置制御部の内部構成図である。
【図３】第１の実施形態に係る画像形成装置の内部構成を示すブロック図である。
【図４】第１の実施形態に係るマルチ画像表示手段を説明するための図である。
【図５】第１の実施形態に係る画像形成装置の動作時にタッチパネルに表示される画面の例を示す図である。
【図６】第１の実施形態に係る画像形成装置の動作時にタッチパネルに表示される画面の例と混同色検出を説明するための図である。
【図７】第１の実施形態に係る画像形成装置の動作を説明する図である。
【図８】第１の実施形態に係る画像形成装置の動作を説明する図である。
【図９】第２の実施形態に係る画像形成装置の内部構成を示すブロック図である。
【図１０】第２の実施形態に係るマルチ画像表示手段を説明するための図である。
【図１１】第２の実施形態に係る画像形成システムの動作時にタッチパネルに表示される画面の例を示す図である。
【図１２】第２の実施形態に係る画像形成装置の動作を説明する図である。
【図１３】第３の実施形態に係る画像形成装置制御部の内部構成図である。
【図１４】第３の実施形態に係る画像形成装置の内部構成を示すブロック図である。
【図１５】第３の実施形態に係る画像形成装置の動作を説明する図である。
【図１６】第４の実施形態に係る画像形成装置制御部の内部構成図である。
【図１７】第４の実施形態に係る画像形成装置の構成を示すブロック図である。
【図１８】第４の実施形態に係る画像形成装置の動作を説明する図である。
【図１９】第１の実施形態に係る画像形成装置の動作を説明する図である。
【発明を実施するための形態】
【００２０】
以下、本発明の実施形態について図面を参照して順に説明する。各実施形態において、第１の実施形態と同一の機能を有する構成要素には、第１の実施形態と同一の符号を付し、第２の実施形態以降での重複説明は極力省略する。
【００２１】
本発明にかかる画像形成装置は、画像形成装置の一形態であるデジタル式の孔版印刷装置に適用したものである。各実施形態で説明する画像形成装置としては、孔版印刷装置に限定されるものではなく、ＭＦＰやプリンタにも無論適用可能であり、また、電子写真方式やインクジェット方式などの画像形成方法にも基本的に依存しないものである。
【００２２】
(第１の実施形態)
図１は、画像形成装置である孔版印刷装置１００の基本構成を示す図である。
【００２３】
孔版印刷装置１００は、装置本体１００Ａの内部に、マスタ１０７が外周面に巻着される印刷ドラム１０１と、印圧手段となるプレスローラ１０２と、製版装置となるプロッタ１０３と、排版手段１０４とを備え、装置本体１００Ａの右側に配置された給紙手段１０５から給紙される記録紙１０６をプレスローラ１０２で印刷ドラム１０１に押し当てることで、巻着されたマスタ１０７の画像を記録紙１０６に転写し、画像転写された記録紙１０６を搬送手段１０８で装置本体１００Ａの左側に配置された排紙手段１０９へと搬送する周知の構成をとる。
【００２４】
装置本体１００Ａの上部には、画像読取手段となるカラースキャナ１１０が配置されていて、原稿画像を読み取り、製版に用いる画像データを取得している。
【００２５】
装置本体１００の上部正面には、孔版印刷装置１００の操作部となる操作パネル１１１が配設されている。操作パネル１１１には、印刷や製版の切り替えキー１１３、スタートキー１１４、表示部となるタッチパネル１１５、初期設定／プリンタ設定キー１１６、印刷位置調整キー１１７、プリントスピード設定キー１１８などが配備されている。
【００２６】
表示部１１５は、ＬＣＤのタッチパネルで構成されていて、その画面には、各種案内情報や各種操作画面が適宜表示され、操作画面が、装置使用者(操作者／ユーザ)によって操作されると、各画面に表示されたスイッチに対応した内容が制御装置２０や孔版印刷装置１００に設定される。
【００２７】
図２は、装置本体１００内に設置されている、孔版印刷装置１００の各部を制御する制御装置２０の構成を示す図である。
【００２８】
制御装置２０は、図２に示すように、実装基板となるＡＣＵ２００(Ａｐｐｌｉｃａｔｉｏｎ  Ｃｏｎｔｒｏｌ  Ｕｎｉｔ)とＥＣＵ３００(Ｅｎｇｉｎｅ  Ｃｏｎｔｒｏl  Ｕｎｉｔ)の二つに大きく分かれている。
【００２９】
ＡＣＵ２００は、孔版印刷装置の操作パネル１１１が接続される操作パネル用インターフェース２０５、携帯型大容量記憶メディアであるＳＤメモリーカード２０１やＵＳＢメモリ２０３などが接続されるインターフェース（ＳＤ  Ｉ／Ｆ  ２０６、ＵＳＢ  Ｉ／Ｆ  ２０９Ａ、２０９Ｂ）、大容量記憶装置となるハードディスク（以下「ＨＤＤ」などと称す）２０７が接続されるインターフェース２０８、パソコンなどの情報端末に対し、ＬＡＮやインターネットなどのネットワークを介してアクセスするためのネットワークインターフェースカード(ＮＩＣ)２０２や無縁ＬＡＮカード２０４を接続するための通信インターフェース(ＮＩＣ  Ｉ／Ｆ  ２１２、無線ＬＡＮ  Ｉ／Ｆ  ２１４)、外部画像表示装置である電子ペーパー４００や液晶ディスプレイ５００を接続するためのＩ／Ｏインターフェース２２１、ＦＡＸモジュールを接続するためのＦＡＸインターフェース２２２、ＥＣＵ３００側が接続されるＥＣＵインターフェース２１５、中央演算回路となるＣＰＵ２１６、記憶手段となるＲＡＭ２１７とＲＯＭ２１８が、ＡＳＩＣ２２０(Ａｐｐｌｉｃａｔｉｏｎ  Ｓｐｅｃｉｆｉｃ  ｌｎｔｅｇｒａｔｅｄ  Ｃｉｒｃｕｉｔ)を具備している。
【００３０】
ＡＣＵ２００は、孔版印刷装置の製版／蓄積の制御等を行い、スキャナあるいはネットワーク経由で転送されてくる文書を蓄積文書としてＨＤＤに蓄積したり、スキャナあるいはＨＤＤに蓄積された蓄積文書あるいはネットワーク経由で転送された文書データから、最終的に製版データを作成したのち、ＥＣＵ３００に転送するという働きを受け持つ。本発明の機能は、主にこのＡＣＵ２００に属する。
【００３１】
ＥＣＵ３００は、中央演算回路となるＣＰＵ３２１、記憶手段となるＲＡＭ３２２とＲＯＭ３２３、ＡＣＵ２００が有するＥＣＵインターフェース２１５と接続されるＡＣＵインターフェース３２４、スキャナ１１０が接続されるスキャナインターフェース３２６、プロッタ１０３が接続されるプロッタインターフェース３２８、ＡＳＩＣ３２９を具備している。
【００３２】
ＥＣＵ３００は、ＡＣＵ２００により作成された製版データをもとに、プロッタ１０３により、周知の孔版原紙となるマスクの感熱孔版フィルム１１９に、熱的プロセスによって穿孔を行うことにより、製版済みのマスタを作成し、この製版済みのマスタ１０７を印刷ドラム１０１となる版胴の外周面に巻装し、ドラム内部に設置されたインキパック１２０から、インキを供給しながら印刷ドラム１０１を回転させ、それに呼応させるように記録紙(印刷用紙)１０６を給紙することにより印刷成果物を得る、という一連のデジタル式の孔版印刷装置の製版から印刷に至る動作全般を制御するものである。
【００３３】
尚、孔版印刷装置としては、片面印刷機や両面印刷機の何れであってもよい。
【００３４】
本実施形態における画像形成装置は、図３に示すように、当該画像形成装置の表示・操作に関して、カラー表示可能なタッチ機能を具備したものであって、かつ、見る角度によって異なる画像を見ることができるいわゆるマルチビューや立体視と呼ばれる機能を有するマルチ画像表示手段２（２Ｄ−３Ｄディスプレイ１１５）と、前記マルチ画像表示手段の表示において、ＣＵＤに対応した表示を行わせるか否かを指定するＣＵＤ適合化表示有無指定手段３（２Ｄ−３Ｄディスプレイ１１５）と、前記ＣＵＤ適合化表示有無指定手段による指定が、ＣＵＤ適合化表示をさせるという旨の設定である場合、どのようなＣＵＤ適合ルールによる適合化を行うかを指定するＣＵＤ適合化ルール指定手段４（２Ｄ−３Ｄディスプレイ１１５）と、通常の表示データから、前記ＣＵＤ適合化ルール指定手段によって指定されたＣＵＤ適合化表示データを生成するＣＵＤ適合化手段５（ＡＣＵ上で動作するプログラム)と、前記通常表示データとＣＵＤ適合化表示データをマルチビュー用の表示データに変換する表示画像変換手段６（ＡＣＵ上で動作するプログラム)と、ＣＵＤ適合化表示有無設定手段による指定が、ＣＵＤ適合化表示をさせるという旨の設定である場合、ＣＵＤ適合化手段により、通常の表示データからＣＵＤ適合化ルール指定手段によって指定されたＣＵＤ適合化表示データを生成し、表示画像変換手段によって、通常表示データとＣＵＤ適合化表示データをマルチビュー用の表示データに変換し、マルチ画像表示手段により、通常表示データとＣＵＤ適合化表示データとを表示させ、見る角度により、前記どの表示データでも視認できるように制御する制御手段２０（ＡＣＵ上で動作するプログラム)と、を備えている(注:カッコ内は実現手段を示す)。
【００３５】
本実施形態では、図２のＡＣＵハードウェア構成図に示す操作パネルのタッチパネル１１５が、図４に示されるような、視差バリア方式を使用した立体画像表示装置（２Ｄ−３Ｄディスプレイ）である。２Ｄ−３Ｄとは、２次元−３次元のことである。
【００３６】
このディスプレイは、表示させようとする複数の画像を、３Ｄ（次元）表示用に変換させ、当該２Ｄ−３Ｄディスプレイで表示させることにより、１の方向から見た場合は、（Ｇ１，Ｒ１，Ｂ１）の画像が見え、２の方向から見た場合は、（Ｒ２，Ｂ２，Ｇ２）の画像が見える、というような、見る方向によって異なる画像が見えるという使い方、あるいは、左右の目に上記画像を両眼の視差を考慮したものを設定することにより、立体的に見せるいわゆる立体表示、というような使い方がなされる。
【００３７】
これを応用し、表示させるデータを、見る方向によって、通常表示データやＣＵＤ適合化表示データを見られるように割り振れば、視点を変えるだけでどちらの表示も確認できるようになり、健常者、色覚異常者別の表示切り替えをする必要がない。
【００３８】
尚、上記立体画像表示装置は、マルチビュー表示あるいは立体表示以外に、前記のような特殊な表示をしない、いわゆる通常（２次元）の表示も行えるが、本発明の主旨ではないので、説明を省略する。
【００３９】
次に、ＣＵＤ適合化有無指定手段とＣＵＤ適合ルール指定手段について、図５及び図６を参照して説明する。
【００４０】
図５及び図６は、孔版印刷装置の操作／表示用タッチパネル（以下、単に「操作パネル」、「タッチパネル」などと呼称する）に表示される操作／表示画面の一例である。
【００４１】
図５は、図示しない「システム初期値設定」−「動作設定」項目の仮想ボタンを選択した時の画面を表している。ここにおいて、ユーザは、孔版印刷装置の動作に関する設定を行うことができる。
【００４２】
尚、図５においては、「ＣＵＤ表示」項目が『する』となっているが、これは後述する操作により設定された結果が反映されたものである。
【００４３】
当該画面において、「ＣＵＤ表示」仮想ボタンを選択すると、図６（Ａ）に示すサブメニューが表示される。
【００４４】
当該サブメニューにおいては、当該孔版印刷装置のメニュー表示において、『する』、『しない』の仮想ボタンの下に羅列されているＣＵＤ適合化ルールにもとづいてメニュー表示をするかどうかの指定を行う。
【００４５】
本実施形態では、図示のとおり、『する』を選択しており、そしてＣＵＤ適合化ルールには、『Ｐ型』を指定している。
【００４６】
Ｐ型とは、色覚異常における１型２色覚３色覚を示している。異常３色覚とは、赤・緑・青の視細胞が一般の人と違う働きをしており（いわゆる色弱といわれるものである）、１型とは、赤の視細胞が正常でないことを示している。また２色型色覚とは、青、緑、赤いずれかの視細胞が働いていないタイプであり（いわゆる色盲といわれるものである）、１型とは、赤の視細胞が働いていないということを表している。ちなみに、Ｄ型とは、２型２色覚３色覚の色覚異常を示しており、２型とは、緑の視細胞に障害があることを示している。
【００４７】
よって、この実施形態では、赤の視細胞に障害をもつ人にとって、区別・認識しやすい配色がなされているメニュー表示と通常のメニュー表示(健常者向けのメニュー表示)とが表示されることを示している。
【００４８】
メニュー表示の中の、ＣＵＤ適合化ルールに適合しない箇所を検出する方法は、混同色線による混同色検出によって行う。色盲の種類により、ｘｙ色度図上の異なる場所に、混同色中心と呼ばれる座標を有することが知られている。
【００４９】
混同色中心の座標は、Ｐ型ではｘ＝０．７４７，ｙ＝０．２５３である（図６（Ｂ））。この混同色中心から無数に引かれる線のグループが、混同色線である。同一直線の混同色線上に位置する個々の色は、色覚異常者にとって別の色であるとする色弁別が難しいことが知られている。これにより、同一混同色線上に異なる色が位置するか否かを判定することにより、色覚異常者により識別が困難な混同色となる色の組み合わせを判定することが可能である。
【００５０】
本実施形態では、混同色の検出方法や混同する色を分別できるように振り分ける方法として混同色線による手法を用いているが、輝度差をつけるなど他の方法によってもよい。
【００５１】
これらの手法は、よく知られた公知の技術であり、本発明の主たる要件をなすものではないので、説明を省略する。
【００５２】
尚、本実施形態では、色覚異常について、カラーユニバーサルデザイン機構（ＣＵＤＯ）の表現に倣っているが、他の表現形式になっていてもよく、この実施例に制限されるものではない。
【００５３】
また、本実施形態では、ＣＵＤ適合ルールとして、図６（Ａ）に示す項目を挙げているが、これ以外のものが列挙されていてもよく、本実施形態に限定されるものではない。
【００５４】
以上のような設定がなされた場合の制御の詳細について、図７及び図８のフローチャート、図１９の概略図を参照して説明する。
【００５５】
孔版印刷装置の制御部は、当該孔版印刷装置のメニュー表示を行う場合、まず通常表示用のデータを取得する(ステップＳ１)。
【００５６】
この後、ＣＵＤ適合化表示有無指定を参照し（ステップＳ２）、ＣＵＤ適合化表示を判断する（ステップＳ３）。ＣＵＤ適合化表示しない旨の設定の場合（ステップＳ３、ＮＯ）、通常表示データの表示を行い（ステップＳ８）、表示する旨の設定の場合（ステップＳ３、ＹＥＳ）は、さらにＣＵＤ適合化ルール指定を参照する（ステップＳ４）。
【００５７】
本実施形態では、『Ｐ型』を指定しているので、通常表示データに対して混同色線による混同色検出を行い、もし同一混同色線に乗る複数の色が使われている場合は、同一混同色線に乗らないように、表示データの色味を変えて、Ｐ型に対応した表示データを生成する（ステップＳ５、図１９（Ｂ））。
【００５８】
この後、通常表示データとＣＵＤ適合化表示データを、マルチビュー表示に適合させたフォーマットに変換して（ステップＳ６、図１９（Ｃ））、表示する（ステップＳ７）。
【００５９】
図１９（Ｃ）に示されるように、マルチビュー表示に適合させたフォーマットに変換するために、間引き処理と画素の配置換えを行っている。
【００６０】
もともと表示させる画像データサイズ＝画像表示装置の画素サイズであったが、Ｐ型画像データも同時に表示させる必要があるため、横方向について間引き処理をしている。
【００６１】
図８は、当該孔版印刷装置のメニュー画面をマルチビューさせた例を簡易的に示したものである。
【００６２】
例えば、ＣＵＤを考慮していない配色の通常の画面表示を、Ｐ型色覚異常者が見た場合、（Ａ）のように見えづらい部分がでて、操作に支障をきたすことがある。
【００６３】
しかしながら、メニュー画面を眺める角度を変えて、Ｐ型に対応したＣＵＤ適合化表示が見えるポジションをとると、（Ｂ）のように見えづらい部分が改善されるため、上記のような不具合が解消される。
【００６４】
しかも、このとき従来のように表示切替のためにスイッチを操作するようなことは不要である。
【００６５】
孔版印刷装置が具備するタッチパネルは、サイズが小さく、画素数もそれほど多くはないため、本来1つの表示データを表示するのに対し、複数のデータを表示させるようにすると、実質的な表示解像度が落ちてしまう。
【００６６】
しかし、メニュー表示など画質劣化をあまり問題視しないものであれば、十分実用に耐えうるし、また、今後の技術の進歩により、より高精細なものが普及すれば、必然的にその恩恵を被ることができるので、大きな問題とはならない。
【００６７】
尚、本発明において「マルチビュー」や「マルチ画像表示」などという用語を使用しているが、これは１つの画面を複数の領域に分割して、各々の領域に別々の画像を表示させるという、いわゆる画面分割表示の意味で使用しているのではないので注意を要する。
【００６８】
本発明でいう「マルチビュー」とは、同一の画像表示装置に対し、視点を変えることで異なる画像を見られること、あるいはその機能を意味している。
【００６９】
さらに本実施形態では、通常表示データから逐次ＣＵＤ適合化表示データを生成しているが、あらかじめ用意されたものを使用してもよい。
【００７０】
本実施形態で、逐次生成させている理由は、表示メニューデータが少ないうちはあらかじめ生成して格納しておいても、そのデータの格納サイズが小さければよいが、メニュー数がだんだん増えてくると、それに伴い格納サイズが肥大化するのと、用意のための手間が増えるためである。
【００７１】
（第２の実施の形態）
次に、第２の実施形態を説明する。なお、上記の第１の実施形態と同一または同様の部分は同一符号で示し、特に必要がない限り既に説明した構成上及び機能上の説明は省略して、要部のみ説明する(以下の他の実施形態において同じである)。
【００７２】
実施形態では、第１の実施形態のブロック図をベースにして、図９に示すように、画像形成装置が、前記生成されたＣＵＤ適合化表示データの表示のさせ方を指定する見え指定手段７（タッチパネル１１５）と、ＣＵＤ適合化表示有無設定手段による指定が、ＣＵＤ適合化表示をさせるという旨の設定である場合、ＣＵＤ適合化手段により、通常の表示データからＣＵＤ適合化ルール指定手段によって指定されたＣＵＤ適合化表示データを生成し、前記生成された表示データが、見え指定手段により指定された見えになるように、表示画像変換手段によって、通常表示データとＣＵＤ適合化表示データをマルチビュー用の表示データに変換し、マルチ画像表示手段により、通常表示データとＣＵＤ適合化表示データを表示させ、見る角度により、前記どの表示データでも視認できるように制御する制御手段２０（ＡＣＵ上で動作するプログラム)と、を有している（注：カッコ内は実現手段を示す）。
【００７３】
また、本実施形態では、図２のＡＣＵハードウェア構成図に示す操作パネルのタッチパネル１１５が、図１０に示されるような、レンチキュラレンズ方式を使用した２Ｄ−３Ｄディスプレイである。
【００７４】
このディスプレイは、表示させようとする複数の画像を、３Ｄ表示用に変換させ、当該２Ｄ−３Ｄディスプレイで表示させることにより、２の方向から見た画像は（Ｂ２，Ｇ２，Ｒ２）が見え、１の方向から見た画像は（Ｇ１，Ｒ１，Ｂ１）が見える、というような、見る角度によって異なる画像が見えるという使い方がなされる。
【００７５】
このような立体画像表示装置では、さらに、ある物体の見えを少しずつ変えたものを表示させることにより、あたかも物体を立体的に眺めているかのような、いわゆる立体表示にも使われる。
【００７６】
これを応用し、表示させるデータを、見る方向によって、通常表示データやＣＵＤ適合化表示データを見られるように割り振れば、視点を変えるだけでどちらの表示も確認できるようになり、健常者、色覚異常者別の表示切り替えをする必要がない。
【００７７】
次に、ＣＵＤ適合化有無指定手段とＣＵＤ適合ルール指定手段について、図１１を使用して説明する。
【００７８】
ＣＵＤ適合化有無指定手段は、第１の実施形態と同様であり、図５に示されるものであるが、当該画面において、「ＣＵＤ表示」仮想ボタンを選択すると、図１１に示すサブメニューが表示される。
【００７９】
当該サブメニューにおいては、ＣＵＤ表示を『する』／『しない』の仮想ボタンの下に、サポートしている色覚の型があり、その見えに関する指定を行う。
【００８０】
本実施例では、図示のとおり、『する』を選択しており、そしてＣＵＤ適合化ルールには、サポートしているすべてを指定している。即ち、見えに『非表示』以外を設定するとＣＵＤ適合化ルールと見えを指定したことになる。
【００８１】
そして、その見えには、『Ｃ型』は『中央ビュー』に、『Ｐ型』は『左ビュー』に、『Ｄ型』は『右ビュー』を指定している。
【００８２】
よって、この実施形態では、赤の視細胞に障害をもつ人にとって、区別・認識しやすい配色がなされているメニュー表示が左ビューに、通常のメニュー表示が中央ビューに、緑の視細胞に障害をもつ人にとって、区別・認識しやすい配色がなされているメニュー表示が右ビューに表示されることを示している。
【００８３】
尚、Ｃ型とは、すべての視細胞が働いているタイプである。また、同一のビューに対して、複数のタイプは指定できないが、タイプ指定のないビューが存在してもよい。
【００８４】
以上のような設定がなされた場合の制御の詳細を図１２の流れ図に示すが、その基本的な流れは、第１の実施形態と同様である。
【００８５】
ステップＳ１からステップＳ５までは第１の実施形態と同様である。異なるのは、通常表示データから、Ｐ型、Ｄ型に対応した表示データを生成（ステップＳ５）した後、見え指定を参照することである（ステップＳ１０）。第１の実施形態では、見え方は、制御部が適当にビューを割り振っていたが、本実施形態では、操作者が任意に指定できるので、この指定に従って、通常表示データとＣＵＤ適合化表示データをマルチビュー表示に適合させたフォーマットに変換し（ステップＳ６）、表示する（ステップＳ７）ことになる。
【００８６】
（第３の実施形態）
次に、第３の実施形態について説明する。なお、上記の第１及び第２の実施形態と同一または同様の部分は同一符号で示し、特に必要がない限り既に説明した構成上及び機能上の説明は省略して要部のみ説明する。
【００８７】
これまでの第１の実施形態、第２の実施形態は、画像形成装置(孔版印刷装置)の操作パネルのメニュー表示について、マルチ画像表示手段を使ってカラーユニバーサルデザインに適用させたものであった。
【００８８】
しかし、メニュー表示ではなく、カラーの文書データに対しても同様に適用できる。
【００８９】
この場合、例えば孔版印刷装置が具備するカラースキャナで読み取った文書データ、あるいは、蓄積文書として孔版印刷装置が具備するハードディスクに格納された文書データ、あるいは、通信インターフェースを介してパーソナルコンピュータ（ＰＣ）などから転送された文書データ、に同様の処理をして表示させることになる。
【００９０】
しかし、文書データとメニュー表示では画像サイズが大きく異なり、Ａ３またはＡ４サイズの文書データをそのままメニュー表示用の２Ｄ−３Ｄディスプレイに表示するには、かなり無理がある。
【００９１】
スクロール機能を使えば出来なくもないが、そのための煩雑な操作が必要であり、なにより一覧性に欠ける。
【００９２】
そこで、本実施形態では、図１３に示すように、Ａ３／Ａ４など文書データ表示に適した大表示サイズの外付けマルチ画像手段として、２Ｄ−３Ｄ表示が可能な液晶ディスプレイ（ＬＣＤ）を接続し、画像データについても無理のない表示を可能にしている。
【００９３】
また、図１４のブロック図に示すように、本実施形態の画像形成装置は、当該画像形成装置から自由に脱着可能で、カラー表示可能であり、Ａ３／Ａ４表示が可能な大表示サイズの画像表示用のものであって、かつ、見る角度によって異なる画像を見ることができるいわゆるマルチビューや立体視と呼ばれる機能を有する外付けマルチ画像表示手段８（２Ｄ−３Ｄディスプレイ５００）と、ＣＵＤ適合化表示有無設定手段による指定が、ＣＵＤ適合化表示をさせるという旨の設定である場合、ＣＵＤ適合化手段により、通常の文書データからＣＵＤ適合化ルール指定手段によって指定されたＣＵＤ適合化文書データを生成し、前記生成された文書データが、見え指定手段により指定された見えになるように、表示画像変換手段によって、通常文書データとＣＵＤ適合化文書データをマルチビュー用の文書データに変換し、外付けマルチ画像表示手段により、通常文書データとＣＵＤ適合化文書データとを表示させ、見る角度により、前記どの表示画像でも視認できるように制御する制御手段２０（ＡＣＵ上で動作するプログラム)と、を有している（注：カッコ内は実現手段を示す）。
【００９４】
このような構成の画像形成装置では、第１の実施形態または第２の実施形態で行った設定や処理を、メニュー表示用の２Ｄ−３Ｄディスプレイ１１５ではなく、画像表示用２Ｄ−３Ｄディスプレイ５００に対して、同様に行えばよいので、詳細な説明は省略する。
【００９５】
尚、文書データを孔版印刷装置のタッチパネルに表示するか、外付けマルチ画像表示装置に出力するかは、図示しないメニュー画面で、予め設定されている。
【００９６】
図１５は、オリジナル（原稿）のカラー文書データ（Ａ）をマルチビューさせた例を簡易的に示したものである。
【００９７】
この例では、例えば、ＣＵＤを考慮していない配色の文書データ表示（Ｂ）をＰ型色覚異常者が見た場合、図中α、βのように見えづらい部分が存在し、画像確認がしにくいことがある。
【００９８】
しかしながら、メニュー画面を眺める角度を変えて、Ｐ型に対応したＣＵＤ適合化表示が見えるポジションをとると、（Ｃ）のように見えづらい部分が改善されるため、上記のような不具合が解消される。
【００９９】
しかも、このとき従来のように表示切替のためにスイッチを操作するようなことは不要である。
【０１００】
（第４の実施形態）
次に、第４の実施形態について説明する。なお、上記第１〜第３の実施形態と同一または同様の部分は同一符号で示し、特に必要がない限り既に説明した構成上及び機能上の説明は省略して要部のみ説明する。
【０１０１】
本実施形態は、第３の実施形態をベースに、さらにその機能を拡張したものである。
【０１０２】
即ち、図１６のＡＣＵハードウェア構成図に示すように、ＣＵＤ適合化手段により、修正・変更された文書または画像データを保存するため、ＨＤＤ２０７と、ＵＳＢメモリ２０３を具備している。
【０１０３】
また、図１７のブロック図に示すように、画像形成装置は、前記ＣＵＤ適合化手段によって適合化された文書または画像を、画像形成装置自身に蓄積するための内部蓄積装置、または、画像形成装置にスロットを介して装着されている携帯型大容量記憶メディア、に蓄積する蓄積手段９（ＨＤＤ２０７、ＵＳＢメモリ２０３）と、操作者の明示的な指示、または、予め指定された設定、により、前記ＣＵＤ適合化手段によって適合化された文書または画像を、前記蓄積手段により、画像形成装置自身に蓄積するための内部蓄積装置、または、画像形成装置にスロットを介して装着されている携帯型大容量記憶メディア、に蓄積するように制御する制御手段２０（ＡＣＵ上で動作するプログラム）と、を有している（注：カッコ内は実現手段を示す）。
【０１０４】
このような構成の孔版印刷装置における制御の詳細について、図１８の流れ図を使用して説明する。
【０１０５】
尚、使用する原稿やＣＵＤ適合化有無指定、ＣＵＤ適合ルール指定、見え指定などについては、これまでの実施形態と同様なので、設定やそれらに関連する動作の流れについては簡略して説明する。
【０１０６】
孔版印刷装置のスキャナに、図１５（Ａ）に示すようなカラー原稿をセットして、製版キーを押下すると（ステップＳ２０）、原稿が読取られる（ステップＳ２１）。
【０１０７】
その後、ＣＵＤ適合化表示指定有無を参照し（ステップＳ２）、表示する旨の設定がなされている場合（ステップＳ３、ＹＥＳ）、さらにＣＵＤ適合化ルールを参照する（ステップＳ４）。
【０１０８】
本実施形態では、『Ｐ型』と『Ｄ型』を指定しているので、通常表示データから、Ｐ型、Ｄ型に対応した表示データを生成する（ステップＳ４）。但し、『Ｃ型』は、本実施形態では、通常の文書データと同義であるので、生成はされるものの、このデータに関して特別に言及することはしない。
【０１０９】
通常表示データから、Ｐ型、Ｄ型に対応した表示データを生成した後、見え指定を参照する（ステップＳ１０）。
【０１１０】
制御部は、この指定に従って、通常表示データとＣＵＤ適合化表示データをマルチビュー表示に適合させたフォーマットに変換し（ステップＳ６）、表示する（ステップＳ７）。
【０１１１】
ここで、孔版印刷装置のタッチパネルには、操作者に対し、今後どのような処置を行うかの図示しないメニューが表示される（ステップＳ２２）。
【０１１２】
『文書蓄積』の仮想ボタンを選択すると（ステップＳ２３、ＹＥＳ）、どの見えの文書データを、どのような文書名で、どのような属性（例えばアクセス制限を設けるかなど）をもって保存するかの図示しないメニューが表示され、必要事項の設定が行われた後は、当該文書または画像は、蓄積文書として保存される（ステップＳ２４）。
【０１１３】
次に製版を継続するかを判断する（ステップＳ２５）。『製版中止』仮想ボタンを選択することで、後に続く処理は中止される（ステップＳ２５、ＮＯ）。
【０１１４】
これにより、ＣＵＤ適合化された文書データを単に表示に使用するだけでなく、蓄積文書として保存するため、カラーユニバーサルデザインを考慮した文書として再利用可能である。
【０１１５】
即ち、当該孔版印刷装置を一種の文書変換機として使用することが出来る。
【０１１６】
さらに一方、『製版続行』の仮想ボタンを選択すると（ステップＳ２５、ＹＥＳ）、引き続き製版処理を続行する。
【０１１７】
その後の色分版処理を行い（ステップＳ２６）、次に製版処理（ステップＳ２７）を行い、続いて印刷処理（ステップＳ２８）を行う。そして未製版があるかを判断し（ステップＳ２９）、未製版がある場合は（ステップＳ２９、ＹＥＳ）ステップＳ２７に戻り、無い場合は（ステップＳ２９、ＮＯ）終了する。
【０１１８】
尚、本発明では、文書データに対し、ＣＵＤ適合化を行い、表示、色分版、製版、印刷までを行っているが、その前段階ともいえる、文書作成者などが作成した文書データが、色覚障害者から見て、どういう見えになるかというシミュレータとしても使うことが出来る。
【０１１９】
従来は、カラーユニバーサルデザインに対応した文書データを作成する場合、まず作成したオリジナルの文書に対し、特殊なソフトウェアなどを使って、色覚障害者の見えをシミュレーションしたり、特殊なめがねを使用することにより、色覚障害者の見えを疑似体験できるようになっていた。
【０１２０】
一方、そもそもＣＵＤ適合化手段は、いってみれば色（空間）変換処理であるので、ＣＵＤ適合化対象の文書において、混同色線などによるチェックを行い、ＣＵＤ不適合箇所に対して適合化処理を行わず、同一色を割り当てる処理を行い、マルチビュー表示することにより、健常者でも色覚障害者の見えを体験することができる。
【０１２１】
また、本発明では、マルチ画像表示手段を用いて、カラーユニバーサルデザインに関連したデータを表示させるという使い方をしているが、さらに応用として、色分版データを表示させるということも可能であり、種々の応用が考えられる。
【０１２２】
また上記の実施形態によれば、マルチビューを備えた画像形成装置において、通常表示データとカラーユニバーサル適合化表示データを同時に表示することが可能になる。マルチビューにより、角度によって見え方が異なるので、一度指定さえすれば、色覚障害を持った人も健常者も表示モードの変更をいちいちすることなく、少し見る角度を変えるだけで良好にメニュー表示を確認することが可能になる。
【０１２３】
また上記の実施形態によれば、画像形成装置が、当該画像形成装置の表示・操作に関し、カラー表示可能なタッチ機能を具備したものであって、かつ、見る角度によって異なる画像を見ることができるいわゆるマルチビューや立体視と呼ばれる機能を有するマルチ画像表示手段と、前記マルチ画像表示手段の表示において、カラーユニバーサルデザインに対応した表示を行わせるか否かを指定するＣＵＤ適合化表示有無指定手段と、前記ＣＵＤ適合化表示有無指定手段による指定が、ＣＵＤ適合化表示をさせるという旨の設定である場合、どのようなＣＵＤ適合ルールによる適合化を行うかを指定するＣＵＤ適合化ルール指定手段と、通常の表示データから、前記ＣＵＤ適合化ルール指定手段によって指定されたＣＵＤ適合化表示データを生成するＣＵＤ適合化手段と、前記通常表示データとＣＵＤ適合化表示データをマルチビュー用の表示データに変換する表示画像変換手段と、ＣＵＤ適合化表示有無設定手段による指定が、ＣＵＤ適合化表示をさせるという旨の設定である場合、ＣＵＤ適合化手段により、通常の表示データからＣＵＤ適合化ルール指定手段によって指定されたＣＵＤ適合化表示データを生成し、表示画像変換手段によって、通常表示データとＣＵＤ適合化表示データをマルチビュー用の表示データに変換し、マルチ画像表示手段により、通常表示データとＣＵＤ適合化表示データとを表示させ、見る角度により、前記どの表示データでも視認できるように制御する制御手段と、を有しているので、立体画像表示機能を応用することにより、通常の表示とＣＵＤ適合化表示のための複数の表示装置を必要とせず、かつ、切替操作などをも必要とせずに、カラーユニバーサルデザインに対応した表示を１つの表示装置で同時に実現できる。
【０１２４】
また上記の実施形態によれば、前記マルチ画像表示手段が、レンチキュラレンズ方式を使用した２Ｄ−３Ｄ表示装置であるので、特殊なデバイスを独自に用意する必要がなく、立体表示に使用されるデバイスを転用することができるので、安価に実現できる。
【０１２５】
また上記の実施形態によれば、前記マルチ画像表示手段が、視差バリア方式を使用した２Ｄ−３Ｄ表示装置であるので、特殊なデバイスを独自に用意する必要がなく、立体表示に使用されるデバイスを転用することができるので、安価に実現できる。
【０１２６】
また上記の実施形態によれば、前記ＣＵＤ適合化ルール指定手段において、列挙される項目は、Ｃ型、Ｐ型、Ｄ型、Ｔ型、もしくは、他の分類における同等なカテゴリーのうち、少なくとも1つ以上含んでいるので、種々の色覚障害に対応することができる。
【０１２７】
また上記の実施形態によれば、画像形成装置が、前記生成されたＣＵＤ適合化表示データの表示のさせ方を指定する見え指定手段と、ＣＵＤ適合化表示有無設定手段による指定が、ＣＵＤ適合化表示をさせるという旨の設定である場合、ＣＵＤ適合化手段により、通常の表示データからＣＵＤ適合化ルール指定手段によって指定されたＣＵＤ適合化表示データを生成し、前記生成された表示データが見え指定手段により指定された見えになるように、表示画像変換手段によって、通常表示データとＣＵＤ適合化表示データをマルチビュー用の表示データに変換し、マルチ画像表示手段により、通常表示データとＣＵＤ適合化表示データとを表示させ、見る角度により、前記どの表示データでも視認できるように制御する制御手段と、を有しているので、カラーユニバーサルデザインに対応した表示を自由・柔軟に行うことができる。
【０１２８】
また上記の実施形態によれば、画像形成装置が、当該画像形成装置から自由に脱着可能で、カラー表示可能であり、Ａ３／Ａ４表示が可能な大表示サイズの画像表示用のものであって、かつ、見る角度によって異なる画像を見ることができるいわゆるマルチビューや立体視と呼ばれる機能を有する外付けマルチ画像表示手段と、ＣＵＤ適合化表示有無設定手段による指定が、ＣＵＤ適合化表示をさせるという旨の設定である場合、ＣＵＤ適合化手段により、通常の文書データからＣＵＤ適合化ルール指定手段によって指定されたＣＵＤ適合化文書データを生成し、前記生成された文書データが見え指定手段により指定された見えになるように、表示画像変換手段によって、通常文書データとＣＵＤ適合化文書データをマルチビュー用の文書データに変換し、外付けマルチ画像表示手段により、通常文書データとＣＵＤ適合化文書データとを表示させ、見る角度により、前記どの表示画像でも視認できるように制御する制御手段と、を有しているので、画像形成装置のメニュー表示だけでなく、一般文書に関しても、画像切替操作などをせずに、カラーユニバーサルデザインに対応した表示を行うことができる。
【０１２９】
また上記の実施形態によれば、画像形成装置が、前記ＣＵＤ適合化手段によって適合化された文書または画像を、画像形成装置自身に蓄積するための内部蓄積装置、または、画像形成装置にスロットを介して装着されている携帯型大容量記憶メディア、に蓄積する蓄積手段と、操作者の明示的な指示、または、予め指定された設定、により、前記ＣＵＤ適合化手段によって適合化された文書または画像を、前記蓄積手段により、画像形成装置自身に蓄積するための内部蓄積装置、または、画像形成装置にスロットを介して装着されている携帯型大容量記憶メディア、に蓄積するように制御する制御手段と、を有しているので、文書作成者あるいは文書配布者が作成し、ユニバーサルデザインに適合したものに変更・修正された文書を、内部蓄積装置または携帯型大容量記憶メディアに蓄積できる。
これにより、ユニバーサルデザインに適合した文書の再利用が可能となる。特に、携帯型大容量記憶メディアに記録した場合、他の画像形成装置に装着して、読込ませ、製版・印刷を行うことができるので、可搬性に富んだものとなる。しかも、すでにＣＵＤ適合化が行われているので、装着先で再びＣＵＤ適合化を行う必要がなく、作業効率性にも寄与する。
【０１３０】
また本発明に係る画像形成装置は、前記カラーユニバーサルデザインに対応した表示をするか否かを指定するカラーユニバーサルデザイン適合化表示有無指定手段と、前記カラーユニバーサルデザイン適合化表示有無指定手段によりカラーユニバーサルデザイン適合化表示を指定された場合、どのようなカラーユニバーサルデザイン適合ルールによる適合化を行うかを指定するカラーユニバーサルデザイン適合化ルール指定手段と、を有し、前記表示データ生成手段は、前記カラーユニバーサルデザイン適合化ルール指定手段の指定に基づいてカラーユニバーサルデザイン適合化表示データを生成することを特徴とする。
【０１３１】
また本発明に係る画像形成装置は、生成された前記カラーユニバーサルデザイン適合化表示データの見え方を指定する見え指定手段を有し、前記見え指定手段により指定された見え方となるように前記マルチ画像表示手段は、前記表示画像変換手段にて得たマルチビュー用の表示データを表示することを特徴とする。
【０１３２】
また本発明に係る画像形成装置は、前記マルチ画像表示手段は、視差バリア方式を使用した２Ｄ−３Ｄ表示装置であることを特徴とする。
【０１３３】
また本発明に係る画像形成装置は、前記マルチ画像表示手段は、レンチキュラレンズ方式を使用した２Ｄ−３Ｄ表示装置であることを特徴とする。
【０１３４】
また本発明に係る画像形成装置は、前記カラーユニバーサルデザイン適合化ルール指定手段における指定項目は、色覚異常の型であるＣ型、Ｐ型、Ｄ型、Ｔ型、又は他の分類における同等なカテゴリーにおいて、前記色覚異常の型を少なくとも１つ以上含むことを特徴とする。
【０１３５】
また本発明に係る画像形成装置は、見る角度によって異なる画像を見ることができる、着脱可能な外付けマルチ画像表示手段と、通常の文書データを変換してカラーユニバーサルデザインに対応した文書データであるカラーユニバーサルデザイン適合化文書データを生成する文書データ生成手段と、通常文書データ及び前記カラーユニバーサルデザイン適合化文書データに基づいてマルチビュー用の文書データに変換する表示画像変換手段と、を有し、前記外付けマルチ画像表示手段は、カラー表示と、Ａ３サイズまでの表示と、が可能であり前記表示画像変換手段にて得たマルチビュー用の文書データを表示することを特徴とする。
【０１３６】
また本発明に係る画像形成装置は、前記適合化文書データと前記適合化表示データとを記憶する場所と方法とを指示入力する指示入力手段と、前記適合化文書データと前記適合化表示データとを外部の携帯型大容量記憶メディアに記憶するための各インターフェース接続手段と、前記カラーユニバーサルデザイン適合化文書データと前記適合化表示データとを記憶するデータ記憶手段と、を有し、前記データ記憶手段は、予め設定された方法又は指示入力された方法により各前記データを記憶することを特徴とする。
【０１３７】
また本発明に係る画像表示方法は、前記カラーユニバーサルデザインに対応した表示をするか否かを指定するカラーユニバーサルデザイン適合化表示有無指定工程と、前記カラーユニバーサルデザイン適合化表示有無指定工程によりカラーユニバーサルデザイン適合化表示を指定された場合、どのようなカラーユニバーサルデザイン適合ルールによる適合化を行うかを指定するカラーユニバーサルデザイン適合化ルール指定工程と、前記カラーユニバーサルデザイン適合化ルール指定工程の指定に基づいてカラーユニバーサルデザイン適合化表示データを生成する表示データ生成工程と、を有することを特徴とする。
【０１３８】
また本発明に係る画像表示方法は、生成された前記カラーユニバーサルデザイン適合化表示データの見え方を指定する見え指定工程と、前記見え指定工程により指定された見え方となるように前記表示画像変換工程にて得たマルチビュー用の表示データを表示するマルチ画像表示工程と、を有することを特徴とする。
【０１３９】
また本発明に係る画像表示方法は、視差バリア方式を使用した２Ｄ−３Ｄ表示するマルチ画像表示工程を有することを特徴とする。
【０１４０】
また本発明に係る画像表示方法は、レンチキュラレンズ方式を使用した２Ｄ−３Ｄ表示するマルチ画像表示工程を有することを特徴とする。
【０１４１】
また本発明に係る画像表示方法は、色覚異常の型であるＣ型、Ｐ型、Ｄ型、Ｔ型、又は他の分類における同等なカテゴリーにおいて、前記色覚異常の型を少なくとも１つ以上含む項目を指定するカラーユニバーサルデザイン適合化ルール指定工程を有することを特徴とする。
【０１４２】
また本発明に係る画像表示方法は、見る角度によって異なる画像を見ることができる、着脱可能な外付けマルチ画像表示手段を備えた画像形成装置の画像表示方法であって、通常の文書データを変換してカラーユニバーサルデザインに対応した文書データであるカラーユニバーサルデザイン適合化文書データを生成する文書データ生成工程と、通常文書データ及び前記カラーユニバーサルデザイン適合化文書データに基づいてマルチビュー用の文書データに変換する表示画像変換工程と、前記マルチビュー用の文書データをカラー表示する工程と、前記マルチビュー用の文書データをＡ３サイズまでの表示をする工程と、前記表示画像変換工程にて得たマルチビュー用の文書データを表示する外付けマルチ画像表示工程と、を有することを特徴とする。
【０１４３】
また本発明に係る画像表示方法は、前記適合化文書データと前記適合化表示データとを記憶する場所と方法とを指示入力する指示入力工程と、前記適合化文書データと前記適合化表示データとを外部の携帯型大容量記憶メディアに記憶するための各インターフェース接続工程と、前記カラーユニバーサルデザイン適合化文書データと前記適合化表示データと、を予め設定された方法又は指示入力された方法により記憶するデータ記憶工程と、を有することを特徴とする。
【産業上の利用可能性】
【０１４４】
本発明によれば、複写機（ＰＰＣ）、複合機能プリンタ（ＭＦＰ）、画像形成装置などの用途に適用できる。
【符号の説明】
【０１４５】
１    画像形成装置
２    マルチ画像表示手段
３    ＣＵＤ適合化表示有無指定手段
４    ＣＵＤ適合化ルール指定手段
５    ＣＵＤ適合化手段
６    表示画像変換手段
７    見え指定手段
８    外付けマルチ画像表示手段
９    蓄積手段
２０    制御装置
１００    画像形成装置(孔版印刷装置)
１０１    印刷ドラム
１０２    プレスローラ
１０３    製版部(プロッタ)
１０４    排版手段
１０５    給紙手段
１０６    記録紙
１０７    マスタ
１０８    搬送手段
１０９    排紙手段
１１０    画像読取り部(スキャナ)
１１１    操作部(操作パネル)
１１３    切り替えキー
１１４    スタートキー
１１５    タッチパネル（２Ｄ−３Ｄディスプレイ）
１１６    初期設定／プリンタ設定キー
１１７    印刷位置調整キー
１１８    プリントスピード調整キー
２００    ＡＣＵ
２０１    ＳＤカード
２０２    ＮＩＣ
２０５    操作パネル  Ｉ／Ｆ
２０６    ＳＤ  Ｉ／Ｆ
２０８    ＨＤＤ  Ｉ／Ｆ
２０９Ｂ    ＵＳＢ  Ｉ／Ｆ
２１２    ＮＩＣ  Ｉ／Ｆ
２１４    無線ＬＡＮ  Ｉ／Ｆ
２１５    ＥＣＵ  Ｉ／Ｆ
２１６    ＣＰＵ
２１７    ＲＡＭ
２１８    ＲＯＭ（フラッシュＲＯＭ）
２２０    ＡＳＩＣ
２２１    Ｉ／Ｏ  Ｉ／Ｆ
２２２    ＦＡＸ  Ｉ／Ｆ
３００    ＥＣＵ
３２１    ＣＰＵ
３２２    ＲＡＭ
３２３    ＲＯＭ
３２４    ＡＣＵ  Ｉ／Ｆ
３２６    スキャナ  Ｉ／Ｆ
３２８    プロッタ  Ｉ／Ｆ
３２９    ＡＳＩＣ
５００    外付け液晶ディスプレイ（２Ｄ−３Ｄディスプレイ）
【先行技術文献】
【特許文献】
【０１４６】
【特許文献１】特開２００７−４３１０号公報
【特許文献２】特開２００８−９０６４号公報
【図１】
2011043711.tif 000003
【図２】
2011043711.tif 000004
【図３】
2011043711.tif 000005
【図４】
2011043711.tif 000006
【図５】
2011043711.tif 000007
【図６】
2011043711.tif 000008
【図７】
2011043711.tif 000009
【図８】
2011043711.tif 000010
【図９】
2011043711.tif 000011
【図１０】
2011043711.tif 000012
【図１１】
2011043711.tif 000013
【図１２】
2011043711.tif 000014
【図１３】
2011043711.tif 000015
【図１４】
2011043711.tif 000016
【図１５】
2011043711.tif 000017
【図１６】
2011043711.tif 000018
【図１７】
2011043711.tif 000019
【図１８】
2011043711.tif 000020
【図１９】
2011043711.tif 000021